(57)【要約】【課題】本発明は、太陽光パネルを架台へ、より強固に且つ安定して固定することができ、固定作業を効率良く行える太陽光パネル固定治具、及び太陽光パネル固定モジュールを提供することを目的とする。【解決手段】本発明の太陽光パネル固定治具１０（ａ）を、板状のベースプレート２２と、横フレーム３８の下面４２に密着する係合凹部２８の側辺（架台下面密着部）２５と、横フレーム３８上に載置された太陽光パネル２０の枠部材４６の上面４８に密着するパネル上面密着プレート（パネル上面密着部）３６と、ベースプレート２２を固定可能な固定孔（架台固定部）５０と、を備えて構成した。【選択図】図１
2015203214.tif 000002
【特許請求の範囲】
【請求項１】
地面又は建造物に設置された架台を構成する架台フレームに、太陽光パネルを載置した状態で、該太陽光パネルを該架台に固定するための太陽光パネル固定治具であり、
平板状であり、前記架台フレームの側面及び前記太陽光パネルの枠部材が有する側面に密着するベースプレートと、
前記ベースプレートの一端付近に該ベースプレートと一体に形成され、前記太陽光パネルを載置した前記架台フレームの下面と平行に延び、該架台フレームの下面に密着する架台下面密着部と、
前記ベースプレートと一体に形成され、該ベースプレートに対して略直角方向に、該ベースプレートの他端から該ベースプレートの表面側へ突出し、前記架台フレーム上に載置された太陽光パネルの枠部材の上面に密着するパネル上面密着部と、
前記太陽光パネルが載置された前記架台フレームに、前記ベースプレートを固定可能な架台固定部と、
前記架台フレーム上に載置された前記太陽光パネルの枠部材に、前記ベースプレートを固定可能なパネル固定部と、
を備えた太陽光パネル固定治具。
【請求項２】
２本の側辺及び２本の側辺に連続する底辺から成り、該架台フレームに、該架台フレームの断面方向に係合される係合凹部を備え、
前記係合凹部の１本の側辺が、前記架台下面密着部を構成する請求項１に記載する太陽光パネル固定治具。
【請求項３】
前記ベースプレートは、前記係合凹部の底辺から、前記ベースプレートに対して直角方向に、該ベースプレートの表面側へ突出し、該係合凹部が前記架台フレームに係合されることにより、該架台フレームの側面に密着する架台側面密着プレートを備えた請求項１又は２に記載する太陽光パネル固定治具。
【請求項４】
前記係合凹部は、平行な２本の側辺及び２本の側辺に連続する底辺から成る略長方形であり、２本の該側辺が略長方形断面を有する架台フレームの上面及び下面に対して摺動しながら、該架台フレームに、該架台フレームの断面方向に係合される形状から構成される請求項３に記載する太陽光パネル固定治具。
【請求項５】
前記請求項１〜４のいずれかに記載する太陽光パネル固定治具を２個備え、２個の太陽光パネル固定治具の前記ベースプレートが、互いに平行になるように、又は同一平面上に位置するように配置することにより、一方の太陽光パネル固定治具と他方の太陽光パネル固定治具とが線対称となるように構成された太陽光パネル固定モジュール。
【発明の詳細な説明】
【技術分野】
【０００１】
本発明は、地面又は建造物に設置された架台に太陽光パネルを固定するための太陽光パネル固定治具、及び太陽光パネル固定モジュールに関する。
【背景技術】
【０００２】
近年、家庭や企業において、太陽光パネルによる発電が行われている。太陽光パネルは、建造物の屋根に直接固定される他、地面又は建造物に設置された架台に固定される。太陽光パネルを架台に容易且つ強固に固定するためには、太陽光パネル専用の太陽光パネル固定治具が必要となる。種々の太陽光パネル固定治具が考えだされ、太陽光パネル固定治具についての出願も行われている（例えば、特許文献１〜３参照。）。
【０００３】
図１２に、従来の太陽光パネル固定治具の一例を示す。図１２に示す太陽光パネル固定治具１は、図１３に示す架台２の横フレーム（架台フレーム）３に太陽光パネル４を固定する治具である。太陽光パネル固定治具１は、横フレーム３に載置した２個の太陽光パネル４の枠部材５の間に設けた隙間６に挿入される凹プレート７と、凹プレート７の両端から連続し、横フレーム３に載置した２個の太陽光パネル４の枠部材５の上面に密着する２個の上面密着プレート８と、を備えている。
【０００４】
太陽光パネル固定治具１は、太陽光パネル４を横フレーム３に載置した状態で、２個の上面密着プレート８を２個の太陽光パネル４の枠部材５の上面に密着させ、ボルト９を横フレーム３及び凹プレート７に貫通させて、ナット１００をボルト９に螺合し締結することにより、太陽光パネル４を架台２の横フレーム３に固定できる。
【０００５】
なお、図１３に示すように、太陽光パネル固定治具１は、架台２上に配置した２個の太陽光パネル４の枠部材５に挟まれた中間部Ａにおいて使用し、架台２上に配置した複数の太陽光パネル４群の側端部Ｂにおいては、側端部Ｂ用の太陽光パネル固定治具を別途準備して使用する。
【０００６】
しかし、太陽光パネル固定治具１によれば、架台２に固定した太陽光パネル４の下から風圧Ｐｗが負荷された場合、太陽光パネル４から太陽光パネル固定治具１に圧力が負荷され、太陽光パネル固定治具１からナット１００に圧力が負荷される。すなわち、ナット１００からの抗力Ｎｗによって太陽光パネル４を保持している。このため、風雨によってナット１００が腐食し、又は、風による振動によってナット１００が緩んで離脱した場合には、太陽光パネル４が架台２から外れて破損する原因となった。このため、太陽光パネルを架台へ、より強固に且つ安定して固定することのできる太陽光パネル固定治具が望まれていた。
【先行技術文献】
【特許文献】
【０００７】
【特許文献１】実開２０１３−１８１３５６号公報
【特許文献２】実開２０１１−０７４１００号公報
【特許文献３】特開２０１１−１５３４６５号公報
【発明の概要】
【発明が解決しようとする課題】
【０００８】
本発明は、太陽光パネルを架台へ、より強固に且つ安定して固定することができる太陽光パネル固定治具、及び太陽光パネル固定モジュールを提供することを目的とする。
【課題を解決するための手段】
【０００９】
本発明の太陽光パネル固定治具は、地面又は建造物に設置された架台を構成する架台フレームに、太陽光パネルを載置した状態で、該太陽光パネルを該架台に固定するための太陽光パネル固定治具であり、平板状であり、前記架台フレームの側面及び前記太陽光パネルの枠部材が有する側面に密着するベースプレートと、前記ベースプレートベースプレートの一端に該ベースプレートベースプレートと一体に形成され、前記太陽光パネルを載置した前記架台フレームの下面と平行に延び、該架台フレームの下面に密着する架台下面密着部と、前記ベースプレートと一体に形成され、該ベースプレートに対して略直角方向に、該ベースプレートの他端から該ベースプレートの表面側へ突出し、前記架台フレーム上に載置された太陽光パネルの枠部材の上面に密着するパネル上面密着部と、前記太陽光パネルが載置された前記架台フレームに、前記ベースプレートを固定する架台固定部と、前記架台フレーム上に載置された前記太陽光パネルの枠部材に、前記ベースプレートを固定するパネル固定部と、を備えたことを特徴とする。
【００１０】
また、本発明の太陽光パネル固定治具は、前記太陽光パネル固定治具において、２本の側辺及び２本の側辺に連続する底辺から成り、該架台フレームに、該架台フレームの断面方向に係合される係合凹部を備え、前記係合凹部の１本の側辺が、前記架台下面密着部を構成することを特徴とする。
【００１１】
また、本発明の太陽光パネル固定治具は、前記太陽光パネル固定治具において、前記ベースプレートは、前記係合凹部の底辺から、前記ベースプレートに対して直角方向に、該ベースプレートの表面側へ突出し、該係合凹部が前記架台フレームに係合されることにより、該架台フレームの側面に密着する架台側面密着プレートを備えたことを特徴とする。
【００１２】
また、本発明の太陽光パネル固定治具は、前記太陽光パネル固定治具において、前記係合凹部は、平行な２本の側辺及び２本の側辺に連続する底辺から成る略長方形であり、２本の該側辺が略長方形断面を有する架台フレームの上面及び下面に対して摺動しながら、該架台フレームに、該架台フレームの断面方向に係合されることを特徴とする。
【００１３】
また、本発明の太陽光パネル固定モジュールは、前記太陽光パネル固定治具を２個備え、２個の太陽光パネル固定治具の前記ベースプレートが、互いに平行になるように、又は同一平面上に位置するように配置することにより、一方の太陽光パネル固定治具と他方の太陽光パネル固定治具とが線対称となるように構成されたことを特徴とする。
【発明の効果】
【００１４】
本発明の太陽光パネル固定治具及び太陽光パネル固定モジュールによれば、架台を構成する架台フレームに太陽光パネルを載置した状態で、ベースプレートを架台フレームの側面及び太陽光パネルの枠部材が有する側面に密着させ、架台下面密着部を架台フレームの下面に密着させ、パネル上面密着部を太陽光パネルの枠部材の上面に密着させて、架台固定部において架台フレームにベースプレートを固定し、パネル固定部において太陽光パネルの枠部材にベースプレートを固定し、太陽光パネル固定治具を架台フレーム及び太陽光パネルの枠部材に固定することにより、太陽光パネルを架台フレームに固定できる。すなわち、架台フレームと太陽光パネルの枠部材とを、架台下面密着部及びパネル上面密着部によって挟持して固定することができる。しかも、架台下面密着部及びパネル上面密着部はベースプレートを介して一体である。このため、風雨によって太陽光パネルの枠部材が架台フレームから離脱することがなく、太陽光パネルを架台へ、より強固に且つ安定して固定することができる。
【図面の簡単な説明】
【００１５】
【図１】本発明に係る太陽光パネル固定治具を示す図であり、同図（ａ）は正面図であり、同図（ｂ）は左側面図であり、同図（ｃ）は底面図である。
【図２】図１の太陽光パネル固定治具から構成される太陽光パネル固定モジュールを示す図であり、同図（ａ）は図７における中間部Ａで使用する太陽光パネル固定モジュールを示す正面図であり、同図（ｂ）は図７における側端部Ｂで使用する太陽光パネル固定モジュールを示す右側面図である。
【図３】図１の太陽光パネル固定モジュールの使用状態を示す図であり、同図（ａ）は平面図であり、同図（ｂ）は正面断面図であり、同図（ｃ）は左側面断面図である。
【図４】図１の太陽光パネル固定モジュールの使用状態を示す図であり、同図（ａ）は平面図であり、同図（ｂ）は正面断面図であり、同図（ｃ）は右側面図である。
【図５】図１の太陽光パネル固定モジュールの使用状態を示す図であり、同図（ａ）は太陽光パネル固定治具を横フレームに係合する状態を示す正面断面図であり、同図（ｂ）は太陽光パネル固定治具を横フレームに沿って摺動させる状態を示す正面断面図である。
【図６】図１の太陽光パネル固定モジュールの使用状態を示す図であり、太陽光パネル固定治具を横フレームに沿って摺動させる状態を示す正面図である。
【図７】図１の太陽光パネル固定モジュールを使用して太陽光パネルを固定する架台を示す平面図である。
【図８】図１（ａ）の太陽光パネル固定モジュールの一部拡大正面断面図である。
【図９】本発明の太陽光パネル固定治具及び太陽光パネル固定モジュールの他の実施形態を示す図であり、同図（ａ）は斜視図であり、同図（ｂ）は正面断面図である。
【図１０】本発明の太陽光パネル固定治具及び太陽光パネル固定モジュールの更に他の実施形態を示す一部拡大正面断面図である。
【図１１】本発明の太陽光パネル固定治具及び太陽光パネル固定モジュールの更に他の実施形態を示す一部拡大正面断面図である。
【図１２】従来の太陽光パネル固定治具を示す図であり、同図（ａ）は平面図であり、同図（ｂ）は正面断面図である。
【図１３】従来の太陽光パネル固定治具を用いて太陽光パネルを架台へ固定した状態を示す図であり、同図（ａ）は平面図であり、同図（ｂ）は側面図である。
【発明を実施するための形態】
【００１６】
次に、本発明の実施形態について、図面に基づいて詳細に説明する。図面において、符号１０は本発明の太陽光パネル固定治具を示し、符号１２は太陽光パネル固定モジュールを示す。
【００１７】
図１に示す太陽光パネル固定治具１０（ａ）は、地面１６に設置された図７に示す架台２を構成する横フレーム（架台フレーム）３８に太陽光パネル２０を載置した状態で、太陽光パネル２０を架台２に固定するためのものである。図２に示す太陽光パネル固定モジュール１２は、互いに線対称な２個の太陽光パネル固定治具１０（ａ）及び１０（ｂ）から構成される。
【００１８】
図３は、架台２の図７における中間部Ａにおいて太陽光パネル固定治具１０（ａ）及び１０（ｂ）を用いて太陽光パネル２０を架台２に固定した状態を示し、図４は、架台２の図７における側端部Ｂにおいて太陽光パネル固定治具１０（ａ）及び１０（ｂ）を用いて太陽光パネル２０を架台２に固定した状態を示す。各太陽光パネル２０は、太陽光パネル固定治具１０（ａ）又は１０（ｂ）により、４箇所において架台２に固定される。
【００１９】
太陽光パネル固定治具１０（ａ）は、図１に示すように、平板状であり、横フレーム３８の側面４４及び太陽光パネル２０の枠部材４６が有する側面６４の幅方向（図３（ｂ）、（ｃ）及び図４（ｂ）、（ｃ）における上下方向）全体に密着するベースプレート２２と、ベースプレート２２の一端３３付近にベースプレート２２と一体に形成され、太陽光パネル２０を載置した横フレーム３８の下面４２と平行に延び、横フレーム３８の下面４２に密着する係合凹部２８の側辺（架台下面密着部）２５と、ベースプレート２２と一体に形成され、ベースプレート２２に対して略直角方向に、ベースプレート２２の他端３４からベースプレート２２の表面３０側へ突出し、横フレーム３８上に載置された太陽光パネル２０の枠部材４６の上面４８に密着するパネル上面密着プレート（パネル上面密着部）３６と、太陽光パネル２０が載置された横フレーム３８に、ベースプレート２２を固定可能な固定孔（架台固定部）５０と、横フレーム３８上に載置された太陽光パネル２０の枠部材４６に、ベースプレート２２を固定可能な固定孔（パネル固定部）５２と、を備えて構成される。
【００２０】
また、太陽光パネル固定治具１０（ａ）は、２本の側辺２４、２５、及び２本の側辺２４，２５に連続する底辺２６から成り、横フレーム３８に、横フレーム３８の断面方向に係合される係合凹部２８を備え、係合凹部２８の１本の側辺２５が、架台下面密着部を構成する。
【００２１】
また、ベースプレート２２は、係合凹部２８の底辺２６から、ベースプレート２２に対して直角方向に、ベースプレート２２の表面３０側へ突出する架台側面密着プレート３２を備えている。架台側面密着プレート３２は、係合凹部２８が横フレーム３８に係合されることにより、横フレーム３８の側面４４に密着する架台側面密着プレート３２を備えている。
【００２２】
太陽光パネル固定治具１０（A）は、鉄、アルミ、ステンレス等の金属から構成される。ベースプレート２２の表面３０側には架台側面密着プレート３２及びパネル上面密着プレート３６が突出し、ベースプレート２２の裏面５４側には突出する部材は存在しない。このため、図２（ａ）及び図３（ｂ）に示すように、２個の太陽光パネル固定治具１０（ａ）及び１０（ｂ）の裏面５４同士を対向させれば、２個の太陽光パネル固定治具１０（ａ）及び１０（ｂ）を隣接させた状態で、太陽光パネル２０の固定のために使用することができる。
【００２３】
係合凹部２８は、ベースプレート２２を切欠いて２本の側辺２４及び２５を形成した後、２本の側辺２４及び２５で挟まれた部分を、ベースプレート２２に対して直角方向に表面３０側へ折り返すことにより形成される。ベースプレート２２に対して直角方向に表面３０側へ折り返された部分から架台側面密着プレート３２が形成される。
【００２４】
パネル上面密着プレート３６は、ベースプレート２２の他端３４側を、ベースプレート２２に対して略直角方向に表面３０側へ折り返すことにより形成される。ベースプレート２２の他端３４側を折り返す角度は９０°ではなく、９０°よりも約１°（θ）傾いており、密着する太陽光パネル２０の枠部材４６の上面４８から受ける反力により９０°へ弾性変形するように構成されている。
【００２５】
固定孔５０は、架台側面密着プレート３２に設けられ、架台２の横フレーム３８の側面４４に密着された状態で、ビス５６によって、横フレーム３８に架台側面密着プレート３２を固定するように構成されている。固定孔５２は、ベースプレート２２に設けられ、ベースプレート２２が太陽光パネル２０の枠部材４６に密着された状態で、ビス５８によって、太陽光パネル２０の枠部材４６にベースプレート２２を固定するように構成されている。
【００２６】
互いに線対称な２個の太陽光パネル固定治具１０（ａ）及び１０（ｂ）から構成される太陽光パネル固定モジュール１２は、図２（ａ）に示すように、一方の太陽光パネル固定治具１０（ａ）のベースプレート２２と他方の太陽光パネル固定治具１０（ｂ）のベースプレート２２とを、各裏面５４同士を合わせ、互いに平行になるように配置することにより、一方の太陽光パネル固定治具１０（ａ）と他方の太陽光パネル固定治具１０（ｂ）とが線対称（左右対称）となるように構成されている。また、図２（ｂ）に示すように、互いのベースプレート２２を同一平面上に位置するように配置することにより、一方の太陽光パネル固定治具１０（ａ）と他方の太陽光パネル固定治具１０（ｂ）とが線対称（左右対称）となり得るように構成されている。２個の太陽光パネル固定治具１０（ａ）及び１０（ｂ）を溶接又は接着剤等によって固定して太陽光パネル固定モジュール１２を構成してもよい。
【００２７】
上記のような太陽光パネル固定モジュール１２を用いて複数個の太陽光パネル２０を図７に示す架台２に固定する作業を以下に示す。
【００２８】
複数個の太陽光パネル２０の架台２への固定は、図７に示す架台２の中間部Ａ及び側端部Ｂにおいて行われる。
【００２９】
中間部Ａにおいては、まず、横フレーム３８にスペーサー６０を介して載置された２個の太陽光パネル２０を、図５（ｂ）に示すように離隔させ、２個の太陽光パネル２０の間に隙間６２を生じさせた状態とする。隙間６２において、図５（ａ）に示すように、太陽光パネル固定治具１０（ａ）の係合凹部２８を、横フレーム３８に、横フレーム３８の断面方向へ係合する。スペーサー６０は、横フレーム３８から係合凹部２８への反力に応じて、その厚さが異なるものを使用すればよい。そして、架台側面密着プレート３２を横フレーム３８の側面４４に密着させる。係合凹部２８を横フレーム３８に係合するとき、係合凹部２８の側辺２４及び２５は横フレーム３８の上面４０及び下面４２に対して摺動する。
【００３０】
次に、図５（ｂ）に示すように、太陽光パネル固定治具１０（ａ）を横フレーム３８の長手方向（図５（ｂ）における左方向）に摺動させ、パネル上面密着プレート３６を、図５（ｂ）における左側の太陽光パネル（以下「左側の太陽光パネル」という。）２０の枠部材４６の上面４８に密着させ、且つ、ベースプレート２２を枠部材４６の側面６４に密着させる。次に、固定孔５０から横フレーム３８へ、ビス５６を螺入し、固定孔５２から枠部材４６へ、ビス５８を螺入する。これにより、太陽光パネル固定治具１０（ａ）及び左側の太陽光パネル２０が横フレーム３８に固定される。
【００３１】
次に、隙間６２において、他方の太陽光パネル固定治具１０（ｂ）の係合凹部２８を、横フレーム３８に、その断面方向へ係合し、他方の太陽光パネル固定治具１０（ｂ）の架台側面密着プレート３２を横フレーム３８の側面４４に密着させる。次に、他方の太陽光パネル固定治具１０（ｂ）を横フレーム３８の長手方向（図５（ｂ）における右方向）に摺動させ、そのパネル上面密着プレート３６を、図５（ｂ）における右側の太陽光パネル（以下「右側の太陽光パネル」という。）２０の枠部材４６の上面４８に密着させ、そのベースプレート２２を、右側の太陽光パネル２０の枠部材４６の側面６４に密着させる。
【００３２】
次に、右側の太陽光パネル２０及び他方の太陽光パネル固定治具１０（ｂ）を横フレーム３８の長手方向（図５（ｂ）における左方向）に摺動させ、他方の太陽光パネル固定治具１０（ｂ）を左側の太陽光パネル２０の枠部材４６に螺入したビス５８の頭部６８に密着させる。この時の太陽光パネル固定治具１０（ａ）及び１０（ｂ）の隙間６６の隙間幅Ｗは、図８に示すように、ビス５８の頭部６８の高さＨに一致する。他方の太陽光パネル固定治具１０（ｂ）の固定孔５０及び５２からは、ビス５６及び５８を横フレーム３８に螺入しない。
【００３３】
右側の太陽光パネル２０のビス５６及び５８による固定は、左側の太陽光パネル２０と同様に、右側の太陽光パネル２０の枠部材４６の右側端において行われる。このようにして、中間部Ａにおいて、左側の太陽光パネル２０及び右側の太陽光パネル２０が、図３に示すように、横フレーム３８に固定される。
【００３４】
中間部Ａにおいては、左側の太陽光パネル２０及び右側の太陽光パネル２０の間に生じる隙間は、太陽光パネル固定治具１０（ａ）及び１０（ｂ）の間に生じる隙間６６のみであり、その隙間幅Ｗは、図８に示すように、ビス５８の頭部６８の高さＨに一致する。このため、２個の太陽光パネル２０の隙間が極力少ない状態で太陽光パネル２０を架台２に配置固定でき、太陽光パネル２０の架台２への配置効率を良くすることができる。また、雨風が隙間から太陽光パネル２０の下へ入り込み難く、太陽光パネル２０の下に位置する架台２の支柱１０２やベースフレーム１０４が腐食することがなくなる。
【００３５】
また、太陽光パネル固定治具１０（ａ）及び１０（ｂ）は、係合凹部２８を横フレーム３８に係合し、架台側面密着プレート３２を横フレーム３８の側面４４に密着させ、パネル上面密着プレート３６を太陽光パネル２０の枠部材４６の上面４８に密着させた状態、すなわち、太陽光パネル固定治具１０（ａ）及び１０（ｂ）と太陽光パネル２０及び横フレーム３８との密着度を高めた状態で、太陽光パネル２０を横フレーム３８に固定することができる。特に、係合凹部２８は、側辺２４及び２５が長方形断面を有する横フレーム３８の上面４０及び下面４２に密着し、長方形断面を有する横フレーム３８の形状を利用して、太陽光パネル固定治具１０（ａ）及び１０（ｂ）と横フレーム３８との密着度を高めることができる。
【００３６】
一方、側端部Ｂにおいては、まず、図６に示すように、太陽光パネル固定治具１０（ａ）及び１０（ｂ）が横フレーム３８を挟む状態で、横フレーム３８にスペーサー６０を介して載置された太陽光パネル２０の枠部材４６の上面４８に、太陽光パネル固定治具１０（ａ）及び１０（ｂ）のパネル上面密着プレート３６を密着させる。
【００３７】
次に、太陽光パネル固定治具１０（ａ）及び１０（ｂ）を、枠部材４６の長手方向に、互いに接近する方向に、摺動させ、図４（ｃ）に示すように互いに密着させる。この状態で、太陽光パネル固定治具１０（ａ）及び１０（ｂ）の各固定孔５０から横フレーム３８へビス５６を螺入し、各固定孔５２から横フレーム３８へビス５８を螺入する。このようにして、側端部Ｂにおいて、左側の太陽光パネル２０及び右側の太陽光パネル２０が、図４に示すように、横フレーム３８に固定される。
【００３８】
以上のように、太陽光パネル固定治具１０（ａ）及び１０（ｂ）は、組み合わせ方法を変えることにより、中間部Ａだけでなく側端部Ｂにおいても、太陽光パネル２０を固定する太陽光パネル固定モジュール１２として使用することができる。このため、太陽光パネル固定治具を、中間部Ａ又は側端部Ｂ毎に別個に準備する必要がなく、太陽光パネル固定治具の製造コストを低減できる。
【００３９】
以上のような太陽光パネル固定治具１０（ａ）及び１０（ｂ）によれば、中間部Ａにおいても、側端部Ｂにおいても、架台２を構成する横フレーム３８に太陽光パネル２０を載置した状態で、ベースプレート２２を横フレーム３８の側面４４及び太陽光パネル２０の枠部材４６が有する側面６４に密着させ、側辺２５を横フレーム３８の下面４２に密着させ、パネル上面密着プレート３６を太陽光パネル２０の枠部材４６の上面４８に密着させて、固定孔５０において横フレーム３８にベースプレート２２を固定し、固定孔５２において太陽光パネル２０の枠部材４６にベースプレート２２を固定し、太陽光パネル固定治具１０（ａ）及び１０（ｂ）を横フレーム３８及び太陽光パネル２０の枠部材４６に固定することにより、太陽光パネル２０を横フレーム３８に固定できる。すなわち、横フレーム３８と太陽光パネル２０の枠部材４６とを、側辺２５及びパネル上面密着プレート３６によって挟持して固定することができる。しかも、側辺２５及びパネル上面密着プレート３６はベースプレート２２を介して一体である。このため、風雨によって太陽光パネル２０の枠部材４６が横フレーム３８から離脱することがなく、太陽光パネル２０を架台２へ、より強固に且つ安定して固定することができる。
【００４０】
また、太陽光パネル固定治具１０（ａ）及び１０（ｂ）によれば、中間部Ａにおいても、側端部Ｂにおいても、係合凹部２８を横フレーム３８に係合させ、架台側面密着プレート３２を横フレーム３８の側面４４に密着させた状態で、固定孔５０において架台側面密着プレート３２を横フレーム３８に固定することにより、太陽光パネル固定治具１０（ａ）及び１０（ｂ）と横フレーム３８とを強固且つ安定して固定できる。
【００４１】
また、本発明の太陽光パネル固定治具によれば、係合凹部２８を横フレーム３８に係合させ、架台側面密着プレート３２を横フレーム３８の側面４４に密着させ、太陽光パネル固定治具１０（ａ）及び１０（ｂ）を横フレーム３８に対して位置決めした状態で、固定孔５０から横フレーム３８へのビス５６の螺入により架台側面密着プレート３２を横フレーム３８に固定して、太陽光パネル固定治具１０（ａ）及び１０（ｂ）を横フレーム３８に固定できる。このため、太陽光パネル固定治具１０（ａ）及び１０（ｂ）を横フレーム３８に容易に固定できる。また、ベースプレート２２を太陽光パネル２０の枠部材４６が有する側面６４の幅方向全体に密着させ、パネル上面密着プレート３６を太陽光パネル２０の枠部材４６の上面４８に密着させ、太陽光パネル固定治具１０（ａ）及び１０（ｂ）を太陽光パネル２０の枠部材４６に対して位置決めした状態で、固定孔５２から太陽光パネル２０の枠部材４６へのビス５８の螺入によりベースプレート２２を太陽光パネル２０の枠部材４６に固定して、太陽光パネル固定治具１０（ａ）及び１０（ｂ）を太陽光パネル２０の枠部材４６に固定できる。このため、太陽光パネル固定治具１０（ａ）及び１０（ｂ）を太陽光パネル２０の枠部材４６に容易に固定できる。これにより、太陽光パネル固定治具１０（ａ）及び１０（ｂ）を横フレーム３８に容易に固定できるとともに太陽光パネル固定治具１０（ａ）及び１０（ｂ）を太陽光パネル２０の枠部材４６に容易に固定できることにより、太陽光パネル２０の架台２への固定作業を効率良く行える。
【００４２】
以上、本発明の実施形態について説明したが、本発明は上述した実施形態に限定されない。例えば、図９に示す太陽光パネル固定治具２００及び太陽光パネル固定モジュール２０１であってもよい。
【００４３】
太陽光パネル固定治具２００（ａ）及び２００（ｂ）は、地面１６に設置された図７に示す架台２を構成する横フレーム（架台フレーム）３８に、太陽光パネル２０を載置した状態で、太陽光パネル２０を架台２に固定するためのものである。太陽光パネル固定モジュール２０１は、互いに線対称な２個の太陽光パネル固定治具２００（ａ）及び２００（ｂ）を、溶接により固定して構成される。
【００４４】
太陽光パネル固定治具２００（ａ）及び２００（ｂ）は、図９に示すように、平板状であり、横フレーム３８の側面４４及び太陽光パネル２０の枠部材４６が有する側面６４の幅方向（図９における上下方向）に密着するベースプレート２０２と、ベースプレート２０２に対して直角方向にベースプレート２０２の一端２０４からベースプレート２０２の表面２０６側へ突出し、長方形断面を有する横フレーム３８の下面４２に密着して係合される架台下面密着プレート２０８と、架台下面密着プレート２０８から離隔し、ベースプレート２０２に対して略直角方向に、ベースプレート２０２の他端２１０からベースプレート２０２の表面２０６側へ突出し、横フレーム３８上に載置された太陽光パネル２０の枠部材４６の上面４８に密着するパネル上面密着プレート２１１と、太陽光パネル２０が載置された横フレーム３８に、ベースプレート２０２を固定する固定孔（架台固定部）２１２と、横フレーム３８上に載置された太陽光パネル２０の枠部材４６に、ベースプレート２０２を固定する固定孔（パネル固定部）２１４と、を備えて構成されている。
【００４５】
太陽光パネル固定治具２００（ａ）及び２００（ｂ）は、図７に示す架台２の中間部Ａにおいて使用され、図９（ｂ）は、架台２の中間部Ａにおいて太陽光パネル固定治具２００（ａ）及び２００（ｂ）を用いて複数の太陽光パネル２０を架台２に固定した状態を示す。
【００４６】
互いに線対称な２個の太陽光パネル固定治具２００（ａ）及び２００（ｂ）から構成される太陽光パネル固定モジュール２０１は、図９（ｂ）に示すように、一方の太陽光パネル固定治具２００（ａ）のベースプレート２０２と他方の太陽光パネル固定治具２００（ｂ）のベースプレート２０２とが互いに平行になるように配置することにより、一方の太陽光パネル固定治具２００（ａ）と他方の太陽光パネル固定治具２００（ｂ）とが線対称（左右対称）となるように構成されている。
【００４７】
また、上述の太陽光パネル固定治具１０（ａ）及び１０（ｂ）において、図１０に示すように、ベースプレート２２の裏面５４側に凹部７０を設け、凹部７０内に固定孔５２を設けてもよい。凹部７０内に固定孔５２を設けることにより、固定孔５２から太陽光パネル２０の枠部材４６へ螺入するビス５８の頭部６８を凹部７０内へ埋設でき、太陽光パネル固定治具１０（ａ）のベースプレート２２の裏面５４と、太陽光パネル固定治具１０（ｂ）のベースプレート２２の裏面５４とを密着させて使用できる。このため、左側の太陽光パネル２０と右側の太陽光パネル２０との隙間を無くし、太陽光パネル２０の架台２への配置効率を良くすることができるとともに、雨風が隙間から太陽光パネル２０の下へ入り込んで架台２の支柱１０２やベースフレーム１０４が腐食することがなくなる。
【００４８】
また、上述の太陽光パネル固定治具１０（ａ）及び１０（ｂ）において、図１１に示すように、ビス５８を、一の太陽光パネル２０の枠部材４６、太陽光パネル固定治具１０（ｂ）の固定孔５２、太陽光パネル固定治具１０（ａ）の固定孔５２、及び他の太陽光パネル２０の枠部材４６へ螺入することによって、太陽光パネル固定治具１０（ａ）のベースプレート２２及び太陽光パネル固定治具１０（ｂ）のベースプレート２２を、２個の太陽光パネル２０の枠部材４６に固定してもよい。
【００４９】
以上、本発明の実施形態について図面に基づいて説明したが、本発明は図示した実施形態に限定されない。例えば、本発明の太陽光パネル固定治具は、太陽光パネル固定モジュールとして、２個セットで使用することに限定されず、１個で使用してもよい。また、パネル上面密着プレートは、予め形成しておくことに限定されず、太陽光パネルの枠部材の幅に対応してベースプレートを折り曲げて形成してもよい。また、ベースプレートに固定孔を設けておかずに、ベースプレートをビスによって架台フレーム及び太陽光パネルの枠部材に固定してもよい。この場合、ベースプレートが架台固定部及びパネル固定部を構成する。また、本願発明の太陽光パネル固定治具を用いて太陽光パネルを固定する横フレーム（架台フレーム）３８は、ロの字断面のものに限定されず、コの字断面やL字断面のものであってもよい。
【産業上の利用可能性】
【００５０】
本発明の太陽光パネル固定治具及び太陽光パネル固定モジュールによれば、太陽光パネルを架台へ、より強固に且つ安定して固定することができ、太陽光パネルの架台への固定作業を効率良く行える。このため、太陽光パネルを架台へ固定するために広く利用できる。
【符号の説明】
【００５１】
１０（ａ）、１０（ｂ）：太陽光パネル固定治具
１２：太陽光パネル固定モジュール
２０：太陽光パネル
２２：ベースプレート
２４：側辺
２５：側辺（架台下面密着部）
２６：底辺
２８：係合凹部
３０：表面
３２：架台側面密着プレート
３３：一端
３４：他端
３６：パネル上面密着プレート（パネル上面密着部）
３８：横フレーム（架台フレーム）
４０：横フレームの上面
４２：横フレームの下面
４４：横フレームの側面
４６：枠部材
４８：枠部材の上面
５０：固定孔（架台固定部）
５２：固定孔（パネル固定部）
６４：枠部材の側面
２００（ａ）、２００（ｂ）：太陽光パネル固定治具
２０１：太陽光パネル固定モジュール
２０２：ベースプレート
２０４：一端
２０６：表面
２０８：架台下面密着プレート（架台下面密着部）
２１０：他端
２１１：パネル上面密着プレート（パネル上面密着部）
Ａ：中間部
Ｂ：側端部
【図１】
2015203214.tif 000003
【図２】
2015203214.tif 000004
【図３】
2015203214.tif 000005
【図４】
2015203214.tif 000006
【図５】
2015203214.tif 000007
【図６】
2015203214.tif 000008
【図７】
2015203214.tif 000009
【図８】
2015203214.tif 000010
【図９】
2015203214.tif 000011
【図１０】
2015203214.tif 000012
【図１１】
2015203214.tif 000013
【図１２】
2015203214.tif 000014
【図１３】
2015203214.tif 000015